(57)【特許請求の範囲】
【請求項１】
水平ないし傾斜する姿勢に配設されて外側表面に突出するように破砕爪(4)を固定しているキャタピラ(1)と、このキャタピラ(1)に接近して折り返し部から下面に沿って配設されてキャタピラ(1)との間に破砕隙間(3)を設けており、さらにそれ自体を貫通して破砕物を通過させる貫通孔(7)を有するガイドプレート(2)とを備え、
ガイドプレート(2)の内面には、破砕隙間(3)に突出するように固定刃(5)を設けており、
キャタピラ(1)の上面に供給された廃棄物を、キャタピラ(1)でもって破砕隙間(3)に移送して破砕し、破砕された破砕物を貫通孔(7)に通過させて外部に排出するようにし、さらに、ガイドプレート(2)を、キャタピラ(1)の下方から引き込み側と反対側の上方まで延長しており、破砕隙間(3)で所定の大きさに破砕されなかった廃棄物を、キャタピラ(1)の破砕爪(4)でもって再びキャタピラ(1)の上面に移送し、破砕隙間(3)で貫通孔(7)を通過しなかった廃棄物を、キャタピラ(1)の上に供給するようにしてなるキャタピラ式の破砕装置。
【請求項２】
ガイドプレート(2)を、キャタピラ(1)の移送方向に向かって、破砕隙間(3)が次第に狭くなる方向とし、キャタピラ(1)に載せて移送する廃棄物を次第に狭い破砕隙間(3)に引き込んで破砕する請求項１に記載されるキャタピラ式の破砕装置。
【請求項３】
キャタピラ(1)が、進行方向と横方向にずらせて複数の破砕爪(4)を固定している請求項１に記載されるキャタピラ式の破砕装置。
【請求項４】
固定刃(5)が通過隙間(6)を有し、キャタピラ(1)に固定している破砕爪(4)を、この通過隙間(6)を通過する位置に配設している請求項１に記載されるキャタピラ式の破砕装置。
【請求項５】
貫通孔(7)がスリットである請求項１に記載されるキャタピラ式の破砕装置。
【発明の詳細な説明】
【０００１】
【発明の属する技術分野】
本発明は、主として木材を小さく破砕する破砕装置に関する。
【０００２】
【従来の技術】
木造家屋を解体すると多量の廃棄木材が発生する。また、山や原野等を開発するときには、多量の木の根が廃材として発生する。建物の廃材や木の根は、焼却して廃棄され、あるいはチップに破砕して再利用される。ただ、そのままでは大きすぎて焼却もチップ加工もできない。焼却炉や粉砕機にセットできないからである。廃材を小さくするためにチェーンソーが使用できる。ただ、チェーンソーで木の根を切断すると、付着している金属や土砂による鋸刃の損傷が甚だしい。とくに、建物の廃材は、金属の一部が埋設された状態で連結され、木の根は、種々の入りくんだ形状で狭い部分が多数あってここに多量の土砂が付着している。廃材に連結される金属は、折れ曲がったり、あるいは木材に埋設しているので簡単に分離できない。また、木の根に付着する土砂は、狭い部分に隠れるように付着していることが多く、除去するのが極めて難しい。このため、金属や土砂が付着する状態で切断でせざるを得ない。金属は極めて硬く、さらに、土砂は研磨材に使用されるシリカ等の極めて硬い成分を含んでいるので、これらがチェーンソーの鋸刃を甚だしく損傷する原因となる。
【０００３】
さらに、チェーンソーは、多量の廃材を能率よく切断して小さくできないので、多量の廃材を破砕する装着として、２タイプの装置が開発されている。第１のタイプは、廃材を水平に移送するコンベアの先端に回転する刃物を設けたものである。この破砕装置は、コンベアで移送される廃材を回転する刃物で破砕する。第２のタイプは、２本ないし３本の回転刃を互いに接近して水平に設け、回転刃の表面に多数の破砕爪を固定したものである。この破砕装置は、２本の回転刃を互いに反対方向に回転して、２本の回転刃の間に廃材を食い込むようにし、破砕爪で供給される廃材を破砕する。
【０００４】
【発明が解決しようとする課題】
これ等の破砕装置は、刃物で切断するのに近い状態で廃材を破砕するので、金属や土砂等が付着する建物の廃材や木の根である抜根を破砕すると、刃物の損傷が甚だしく、寿命が短くなる欠点がある。また、刃物が摩耗すると廃材を破砕する能率が著しく悪くなる欠点もある。
【０００５】
刃物に代わってキャタピラで廃材を押し潰して破砕する装置も開発されている（特開昭６０−１４３８４０号）。この破砕装置は、図１に示すように２条のキャタピラ１を垂直に配設し、キャタピラ１の間隔を下に向かって狭くし、キャタピラ１の間に供給された廃材をキャタピラ１で圧縮して破砕する。
【０００６】
この構造の破砕装置は、キャタピラで圧縮して廃材を破砕するので、刃物で破砕する装置に比較すると耐久性が優れている。ただ、この構造の破砕装置は、廃材を小さく破砕することが難しい。また、小さく破砕したものを選別して取り出すこともできず、破砕物に大きくて破砕されないものが混在する。大きなものが混在する破砕物は、次の処理工程に悪影響を与える。
【０００７】
さらに、２条のキャタピラを使用するので製造コストも高くなる。また、キャタピラで廃材を強く圧縮するために、キャタピラを張設する機構を極めて頑丈な機構とする必要があり、この機構の製造コストも高くなる。また、廃材を強く圧縮する２条のキャタピラを駆動するので、駆動トルクも大きくなり、駆動するモーターに大きなものを使用する必要があって、消費する馬力も大きくなる。
【０００８】
本発明は、このような欠点を解決することを目的に開発されたものである。本発明の重要な目的は、金属や土砂が付着する廃材を能率よく破砕できると共に、耐久性があって製造コストとランニングコストの両方を安くして経済的にも優れたキャタピラ式の破砕装置を提供することにある。
【０００９】
【課題を解決するための手段】
本発明のキャタピラ式の破砕装置は、キャタピラ１とガイドプレート２とを備える。キャタピラ１は、水平ないし傾斜する姿勢に配設されて外側表面に突出するように破砕爪４を固定している。ガイドプレート２は、キャタピラ１に接近して、折り返し部から下面に沿って配設されてキャタピラ１との間に破砕隙間３を設けている。さらに、ガイドプレート２は、所定の大きさに破砕された破砕物を通過させる貫通孔７を開口している。この破砕装置は、キャタピラ１の上面に供給された建物の廃材や木の根等の廃棄物を、キャタピラ１でもって破砕隙間３に移送して破砕する。小さく破砕された破砕物は、貫通孔７に通過させて外部に排出される。
【００１０】
本発明の破砕装置は、ガイドプレート２の内面に固定刃５を固定し、固定刃５と破砕爪４とでより能率よく破砕装置を破砕できる。キャタピラ１に固定される破砕爪４は、好ましくは、進行方向と横方向にずらせて複数個を固定して、スムーズに廃棄物を破砕できる。さらに、ガイドプレート２に固定している固定刃５に通過隙間６を設けて、この通過隙間６を通過する位置にキャタピラ１の破砕爪４を固定する構造は、より能率よく廃棄物を破砕できる。ガイドプレート２に設けている貫通孔７は、スリットの形状として詰まらないように破砕物を通過できる。
【００１１】
【発明の実施の形態】
以下、本発明の実施例を図面に基づいて説明する。ただし、以下に示す実施例は、本発明の技術思想を具体化するための破砕装置を例示するものであって、本発明は破砕装置を下記のものに特定しない。
【００１２】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図２に示す破砕装置は、キャタピラ１と、このキャタピラ１との間に破砕隙間３を設けているガイドプレート２とを備える。図のキャタピラ１は、水平の姿勢に配設されて、外側表面に突出するように破砕爪４を固定している。ただ、キャタピラは、図示しないが、廃棄物を上り勾配に移送し、あるいは下り勾配に移送するように、傾斜する姿勢とすることもできる。傾斜するキャタピラは、水平面に対して廃棄物を移送する上面の傾斜角を０〜４５度とする。
【００１４】
キャタピラ１の幅は、破砕する廃棄物の種類により最適値に設計される。たとえば、木造家屋を解体した廃棄木材や木の根を破砕する破砕装置にあっては、好ましくは１〜１０ｍ、さらに好ましくは２〜８ｍ、最適には約５ｍとする。キャタピラ１は、図３の水平断面図に示すように、進行方向と横方向にずらせて複数の破砕爪４を固定している。図のキャタピラ１は、横に隣接している破砕爪４を矢印で示す進行方向にずらせている。このキャタピラ１は、横に隣接して設けている破砕爪４との間に隙間を設け、さらに、前後に隣接している破砕爪４の間にも隙間を設けている。このキャタピラ１は、隣接する破砕爪４で順番に廃棄物を破砕隙間３に引き込んで破砕する。
【００１５】
破砕爪４は、これに廃棄物を引っかけて破砕隙間３に引き込んで破砕する。したがって、破砕爪４は、キャタピラ１の上に載せた廃棄物を移送できる高さに突出している。破砕爪４は、充分な強度とするために、金属板を進行方向に向けてリブの形状としてキャタピラ１の外側表面に固定している。
【００１６】
ガイドプレート２は金属板で、キャタピラ１に接近して、キャタピラ１の折り返し部から下面に沿って配設してキャタピラ１との間に破砕隙間３を設けている。図のガイドプレート２は、キャタピラ１の上方から下方まで延長している。キャタピラ１の上方のガイドプレート２は、キャタピラ１の上面に対して傾斜している。ガイドプレート２の傾斜方向は、キャタピラ１の移送方向に向かって、破砕隙間３が次第に狭くなる方向としている。この破砕装置は、キャタピラ１に載せて移送する廃棄物を次第に狭い破砕隙間３に引き込んで効率よく破砕する。
【００１７】
この破砕装置は、キャタピラ１に載せて移送される廃棄物を、水平の姿勢で破砕隙間３に引き込み、水平の姿勢から垂直の姿勢に方向転換して効率よく破壊する。図のガイドプレート２は、内面に固定刃５を固定している。この固定刃５は、ガイドプレート２から破砕隙間３に突出している。固定刃５は、キャタピラ１で移動される破砕爪４の間に配設される。固定刃５は、破砕爪４を通過させる通過隙間６を設けて、破砕爪４に衝突しない構造とすることができる。図に示す固定刃５は、破砕爪４が移動する部分に凹部を設けて通過隙間６としている。この破砕装置は、固定刃５と破砕爪４とで廃棄物を能率よく破砕できる。ただ、固定刃は、複数の突起で構成し、これらをガイドプレートから突出して設けることもできる。この構造の固定刃は、それぞれの突起の間に通過隙間が設けられるように複数の突起を配置する。
【００１８】
さらに、ガイドプレート２は、破砕隙間３で破砕された破砕物を通過させる貫通孔７を設けている。貫通孔７は、所定の大きさよりも小さく破砕された破砕物を通過させる。貫通孔７を通過しない廃棄物は、再びキャタピラ１に供給されて小さく破砕される。貫通孔７は、キャタピラ１の横方向に延長しているスリットの形状としてガイドプレート２に多数に開口される。スリットである貫通孔７は、破砕物を詰まらせないで通過できる特長がある。ただ、貫通孔は必ずしもスリットの形状とする必要はなく、多角形、円形、楕円形とすることもできる。また、ガイドプレートの一部を網状として多数の貫通孔を設けることもできる。
【００１９】
図２の破砕装置は、ガイドプレート２をキャタピラ１の下方から、さらに引き込み側と反対側の上方まで延長している。この破砕装置は、破砕隙間３で所定の大きさに破砕されなかった廃棄物を、キャタピラ１の破砕爪４でもって再びキャタピラ１の上面に移送できる。このため、破砕隙間３で貫通孔７を通過しなかった廃棄物を、キャタピラ１の上に供給する必要がない。
【００２０】
キャタピラ１の両側には、廃棄物がキャタピラ１から洩れないように、キャタピラ１に接近して垂直壁８を設けている。
【００２１】
【発明の効果】
本発明のキャタピラ式の破砕装置は、金属や土砂が付着する廃材を能率よく破砕できる特長がある。それは、本発明の破砕装置が刃物で廃棄物を切断して破砕するのではなく、キャタピラに設けた破砕爪でもって、キャタピラとガイドプレートとの間の破砕隙間に無理に引き込んで破砕するからである。このため、本発明の破砕装置は、建物の廃材である木材や、山を開発したときに多量に発生する木の根等の廃棄物を、能率よく速やかに破砕できる特長がある。
【００２２】
さらに、本発明の破砕装置は、耐久性があって製造コストとランニングコストの両方を安くして経済的に破砕できる特長がある。それは、刃物で切断して破砕するのではなくて、キャタピラに固定している破砕爪で破砕隙間に引き込んで破砕するために、刃物のように破砕爪を頻繁に研磨する必要がなく、また、破砕爪が多少摩耗しても、廃棄物を能率よく破砕できるからである。
【図面の簡単な説明】
【図１】従来の破砕装置の断面図
【図２】本発明の実施例の破砕装置の概略断面図
【図３】図２に示す破砕装置の水平断面図
【符号の説明】
１…キャタピラ
２…ガイドプレート
３…破砕隙間
４…破砕爪
５…固定刃
６…通過隙間
７…貫通孔
８…垂直壁
【図１】
0003564073.tif 000002
【図２】
0003564073.tif 000003
【図３】
0003564073.tif 000004